(57)【要約】【課題】保険契約に対する検討作業を支援することが可能な保険情報出力プログラム、保険情報出力装置及び保険情報出力方法を提供することを目的としている。【解決手段】コンピュータに、記憶部を参照し、個人を特定する特定情報に基づき前記特定情報と対応付けられた前記個人の過去の病歴を示す診療情報と、前記個人に指定された保険商品の給付金に係る情報を含む保険情報とを取得する処理と、前記診療情報に含まれる疾病又は怪我に対する前記保険商品の給付金を算出し、出力する処理と、を実行させる。【選択図】図９
2015026193.tif 000002
【特許請求の範囲】
【請求項１】
コンピュータに、
記憶部を参照し、個人を特定する特定情報に基づき前記特定情報と対応付けられた前記個人の過去の病歴を示す診療情報と、前記個人に指定された保険商品の給付金に係る情報を含む保険情報とを取得する処理と、
前記診療情報に含まれる疾病又は怪我に対する前記保険商品の給付金を算出し、出力する処理と、
を実行させる保険情報出力プログラム。
【請求項２】
前記診療情報は、
前記疾病又は怪我の通院日数、入院日数及び手術の有無を示す項目を含み、
前記出力する処理は、前記通院日数、入力日数及び手術の有無を示す項目の情報に基づき、前記給付金を算出する疾病又は怪我を選択する請求項１記載の保険情報出力プログラム。
【請求項３】
前記出力する処理は、
前記個人の属性を示す属性情報を参照し、
前記疾病又は怪我の治療にかかった医療費又は前記疾病又は怪我の通院日数、入力日数及び手術の有無を示す項目の情報の何れか一方を選択し、
選択した方の項目の情報に基づき前記給付金を算出する疾病又は怪我を選択する請求項１又は２に記載の保険情報出力プログラム。
【請求項４】
記憶部を参照し、個人を特定する特定情報に基づき前記特定情報と対応付けられた前記個人の過去の病歴を示す診療情報と、前記個人に指定された保険商品の給付金に係る情報を含む保険情報とを取得する取得処理部と、
前記診療情報に含まれる疾病又は怪我に対する前記保険商品の給付金を算出し、出力する出力処理部と、を有する保険情報出力装置。
【請求項５】
コンピュータによる保険情報出力方法であって、該コンピュータが、
記憶部を参照し、個人を特定する特定情報に基づき前記特定情報と対応付けられた前記個人の過去の病歴を示す診療情報と、前記個人に指定された保険商品の給付金に係る情報を含む保険情報とを取得し、
前記診療情報に含まれる疾病又は怪我に対する前記保険商品の給付金を算出し、出力する保険情報出力方法。
【発明の詳細な説明】
【技術分野】
【０００１】
本発明は、保険情報出力プログラム、保険情報出力装置及び保険情報出力方法に関する。
【背景技術】
【０００２】
従来では、医療保険や生命保険等を取り扱う保険会社向けのシステムが知られている。このシステムは、例えば保険の加入を検討している利用者に対し、保険の内容の詳細や、保険の掛金、給付金等を含む保険情報を提供する機能を有している。例えば従来のシステムでは、保険の対象者の行動に関する情報から、保険の対象となる事象が発生する確率や、保険料（掛金）等を算出するものが知られている。
【先行技術文献】
【特許文献】
【０００３】
【特許文献１】国際公開第２００３／０６５２６４１号
【発明の概要】
【発明が解決しようとする課題】
【０００４】
保険の契約を検討している契約希望者は、保険に加入することでどのような場合にどのような給付金を受け取ることができるのかを検討する場合が多い。そこで従来では、給付金の支払いの事例等を契約希望者に提示するシステムがある。
【０００５】
しかしながら提示される事例は、契約希望者の年代や性別、病歴等が一致する事例とは限らず、契約希望者に保険加入のメリット等を実感させることが難しい。
【０００６】
本発明の一つの側面では、保険契約に対する検討作業を支援することが可能な保険情報出力プログラム、保険情報出力装置及び保険情報出力方法を提供することを目的としている。
【課題を解決するための手段】
【０００７】
一様態によれば、コンピュータに、記憶部を参照し、個人を特定する特定情報に基づき前記特定情報と対応付けられた前記個人の過去の病歴を示す診療情報と、前記個人に指定された保険商品の給付金に係る情報を含む保険情報とを取得する処理と、前記診療情報に含まれる疾病又は怪我に対する前記保険商品の給付金を算出し、出力する処理と、を実行させる。
【０００８】
上記各処理は、上記各処理を実行する機能部、上記各処理を実現する方法、そのプログラムを記憶したコンピュータ読み取り可能な記憶媒体とすることもできる。
【発明の効果】
【０００９】
保険契約に対する検討作業を支援することができる。
【図面の簡単な説明】
【００１０】
【図１】保険情報出力システムを説明する図である。
【図２】保険情報出力サーバのハードウェア構成の一例を示す図である。
【図３】第一の実施例の利用者データベースの一例を示す図である。
【図４】第一の実施例の診療情報データベースの一例を示す図である。
【図５】第一の実施例の診療別ランクデータベースの一例を示す図である。
【図６】第一の実施例のポイントデータベースの一例を示す図である。
【図７】第一の実施例の計算式データベースの一例を示す図である。
【図８】第一の実施例の保険情報出力サーバの機能を説明する図である。
【図９】第一の実施例の保険情報出力サーバの動作を説明するフローチャートである。
【図１０】第一の実施例の利用者情報の入力画面の一例を示す図である。
【図１１】第一の実施例の診療情報を用いた支払い事例を含む保険情報画面の一例を示す図である。
【図１２】一般的な支払い事例を含む保険情報画面の一例を示す図である。
【図１３】第二の実施例の保険情報出力サーバの機能を説明する図である。
【図１４】第二の実施例の利用者情報の入力画面の一例を示す図である。
【図１５】第二の実施例の利用者データベースの一例を示す図である。
【図１６】第二の実施例の診療別ランクデータベースの一例を示す図である。
【図１７】第二の実施例の保険情報出力サーバの動作を説明する第一のフローチャートである。
【図１８】第二の実施例の保険情報出力サーバの動作を説明する第二のフローチャートである。
【発明を実施するための形態】
【００１１】
（第一の実施例）
以下に図面を参照して本実施例について説明する。図１は、保険情報出力システムを説明する図である。
【００１２】
本実施例の保険情報出力システム１００は、保険情報出力サーバ２００と、情報端末３００とを有する。保険情報出力サーバ２００と情報端末３００とは、ネットワークを介して接続されている。また本実施例の保険情報出力システム１００は、保険に関する保険情報を提供する保険会社の端末４００や、診療情報が格納されている病院の端末５００を含んでも良い。尚本実施例の保険情報とは、例えば保険に加入した場合の給付金の支払い事例を示す情報、保険に加入した際に支払う掛金を示す情報、保険による補償範囲を示す情報等を含む。
【００１３】
本実施例の保険情報出力サーバ２００は、利用者データベース２２０、診療情報データベース２３０、診療別ランクデータベース２４０、ポイントデータベース２５０、計算式データベース２６０を有する。また本実施例の保険情報出力サーバ２００は、例えばユーザによる保険加入の検討作業を支援する保険情報出力プログラム２１０がインストールされている。
【００１４】
本願の発明者は、保険の契約希望者は、どのような場合にどの程度の給付金を受け取れるかを検討する場合が多い点と、今後導入されるであろう共通番号（マイナンバー）制度とに着目した。本実施例では、契約希望者による検討作業を支援する目的で、契約希望者に提供される保険情報に、契約希望者の病歴に基づく給付金の支払い事例を含めることで、契約希望者の保険加入に関する検討作業を支援する。尚共通番号制度とは、全国民に対して１人１人重複しない番号を付与し、それぞれの個人情報をこれに帰属させることで国民全体の個人情報管理の効率化を図る制度である。
【００１５】
本実施例では、例えば病院等で管理されている診療情報から契約希望者のマイナンバーを用いて契約希望者の病歴の情報を検索し、契約希望者の病歴に基づく給付金の支払い事例を契約希望者に提示することで、保険加入の検討作業を支援する。尚、以下の本実施例の説明では、マイナンバーのことを個人識別情報と呼ぶ。
【００１６】
また本実施例では、契約希望者とは、保険情報出力システム１００の利用者であるから、以下の実施例の説明では、契約希望者を「利用者」として説明する。
【００１７】
図２は、保険情報出力サーバのハードウェア構成の一例を示す図である。本実施例の保険情報出力サーバ２００は、それぞれバスＢで相互に接続されている入力装置２１、出力装置２２、ドライブ装置２３、補助記憶装置２４、メモリ装置２５、演算処理装置２６、インターフェース装置２７を有する。
【００１８】
入力装置２１は、例えばポインティングデバイスやキーボード等であり、各種信号の入力をするために用いられる。インターフェース装置２７は、モデム，ＬＡＮカード等を含み、ネットワークに接続する為に用いられる。出力装置２２は、例えばディスプレイ等であっても良く、保険情報出力サーバ２００から各種情報報の出力や表示を行う。
【００１９】
保険情報出力プログラム２１０は、保険情報出力サーバ２００を制御する各種プログラムの少なくとも一部である。保険情報出力プログラム２１０は例えば記録媒体２８の配布やネットワークからのダウンロードなどによって提供される。保険情報出力プログラム２1０を記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２０】
また保険情報出力プログラム２１０を記録した記録媒体２８がドライブ装置２３にセットされると、保険情報出力プログラム２１０は記録媒体２８からドライブ装置２３を介して補助記憶装置２４にインストールされる。ネットワークからダウンロードされた保険情報出力プログラム２１０は、インターフェース装置２７を介して補助記憶装置２４にインストールされる。
【００２１】
補助記憶装置２４は、インストールされた保険情報出力プログラム２１０を格納すると共に、必要なファイル，データ等を格納する。メモリ装置２５は、コンピュータの起動時に補助記憶装置２４から保険情報出力プログラム２１０を読み出して格納する。そして、演算処理装置２６はメモリ装置２５に格納された保険情報出力プログラム２１０に従って、後述するような各種処理を実現している。
【００２２】
本実施例の情報端末３００のハードウェア構成は保険情報出力サーバ２００と同様である。尚本実施例の保険情報出力サーバ２００と情報端末３００は、例えばタブレット型のコンピュータであっても良い。その場合保険情報出力サーバ２００は、入力装置２１と出力装置２２の代わりに、情報の入力機能と表示機能とを有する表示操作装置を有しても良い。
【００２３】
以下に図３乃至図７を参照して本実施例の保険情報出力サーバ２００の有する各データベースについて説明する。
【００２４】
図３は、第一の実施例の利用者データベースの一例を示す図である。
【００２５】
本実施例の利用者データベース２２０に格納される利用者情報は、利用者を識別する利用者識別情報（以下、利用者ＩＤ）、契約者名、年齢、性別、住所、個人識別情報、保険種別の項目を有する。本実施例の利用者情報は、例えば情報端末３００に表示された、後述する利用者情報入力画面により入力された情報である。
【００２６】
本実施形態の契約者名は、保険加入の契約を行う契約者（契約希望者）の名前である。契約者名は、例えば保険に加入する被保険者と同一人物でなくても良い。
【００２７】
本実施例では、年齢、性別、住所及び個人識別情報は、契約者を特定する情報であり、
契約者と対応付けられた情報とした。尚例えば契約者と被保険者が一致しない場合には、年齢、性別、住所及び個人識別情報は、被保険者を特定する情報であり、被保険者に対応した情報であっても良い。本実施例の保険種別は、例えば利用者が契約を希望する保険商品の種類である。
【００２８】
図４は、第一の実施例の診療情報データベースの一例を示す図である。
【００２９】
本実施例の診療情報データベース２３０に格納される診療情報は、個人識別情報、氏名、診療識別子（以下、診療ＩＤ）、医療機関、医療費、症状、通院日数、入院日数、手術の有無の項目を含む。本実施例の診療ＩＤは、例えば症状毎に付与されるものである。
【００３０】
本実施例の診療情報は、例えば利用者が病院で診療を受けた場合に、病院の端末５００から入力される情報である。尚本実施例では、診療情報データベース２３０は保険情報出力サーバ２００が有するものとしたが、これに限定されない。診療情報データベース２３０は、例えば病院の端末５００に設けられていても良い。
【００３１】
図５は、第一の実施例の診療別ランクデータベースの一例を示す図である。
【００３２】
本実施例の診療別ランクデータベース２４０に格納されるランク情報は、個人識別情報毎の情報である。本実施例のランク情報は、個人識別情報に対応付けられた診療ＩＤ、症状、医療費、種別、日数、ポイント、ランクの項目を有する。
【００３３】
本実施例のランク情報に含まれる種別は、通院、入院及び手術それぞれの有無を示す。日数は、通院日数と入院日数の合計の日数である。ポイントは、種別に基づき後述するポイントデータベース２５０が参照されて、決定される。ランクは、ポイントに基づき決定される。
【００３４】
図６は、第一の実施例のポイントデータベースの一例を示す図である。
【００３５】
本実施例のポイントデータベース２５０に格納されたポイント情報は、診療の種別とポイントとが対応付けられた情報である。具体的には例えば、診療の種別が手術であった場合、ポイントは１０ポイントであり、種別が入院であった場合、ポイントは５ポイントである。
【００３６】
図７は、第一の実施例の計算式データベースの一例を示す図である。
【００３７】
本実施例の計算式データベース２６０に格納された計算式情報は、保険種別と、保険給付金の計算式とが対応付けられた情報である。
【００３８】
保険種別とは、保険商品の種類である。具体的には例えば、保険種別Ａの保険商品の場合、給付金は式１により算出される。
【００３９】
本実施例では、計算式データベース２６０は保険情報出力サーバ２００が有するものとしたが、これに限定されない。計算式データベース２６０は、例えば保険会社の端末４００に設けられていても良い。
【００４０】
次に図８を参照して本実施例の保険情報出力サーバ２００の機能について説明する。
【００４１】
図８は、第一の実施例の保険情報出力サーバの機能を説明する図である。
本実施例の保険情報出力サーバ２００の各機能は、保険情報出力サーバ２００が保険情報出力プログラム２１０を実行することにより実現される。
【００４２】
本実施例の保険情報出力サーバ２００は、画面データ生成部２７１、入力受付部２７２，診療情報取得部２７３、データベース更新部２７４、ポイント付与部２７５、ランク付け部２７６、給付金算出部２７７、画面データ送信部２７８を有する。
【００４３】
本実施例の画面データ生成部２７１は、情報端末３００に表示させる画面データを生成する。入力受付部２７２は、画面データ生成部２７１が生成された画面データが表示された情報端末３００において入力された情報を受け付ける。
【００４４】
診療情報取得部２７３は、診療情報データベース２３０から診療情報を取得する。本実施例の診療情報取得部２７３は、例えば診療情報データベース２３０が病院の端末５００に設けられている場合には、端末５００内の診療情報データベース２３０から診療情報を取得する。
【００４５】
本実施例のデータベース更新部２７４は、入力受付部２７２により受け付けた情報に基づき利用者データベース２２０を更新する。また本実施例のデータベース更新部２７４は、診療情報取得部２７３により診療情報が取得されると、診療別ランクデータベース２４０を更新する。
【００４６】
本実施例のポイント付与部２７５は、診療別ランクデータベース２４０とポイントデータベース２５０を参照し、診療ＩＤ毎にポイントを付与する。本実施例のランク付け部２７６は、診療ＩＤ毎に付与されたポイントに基づき、診療ＩＤ毎にランク付けを行う。本実施例のポイント付与部２７５とランク付け部２７６の詳細は後述する。
【００４７】
給付金算出部２７７は、計算式データベース２６０から利用者が選択した保険種別と対応する保険給付金計算式を取得し、ランク付け部２７６により最も高いランクが付けられた診療ＩＤを含む診療情報を用いて、給付金を算出する。尚本実施例の給付金算出部２７７は、例えば計算式データベース２６０が保険会社の端末４００に設けられている場合には、端末４００内の計算式データベース２６０から保険給付金計算式を取得する。
【００４８】
画面データ送信部２７８は、画面データ生成部２７１が生成した画面データを情報端末３００に送信する。
【００４９】
以下に図９を参照して本実施例の保険情報出力サーバ２００の動作を説明する。図９は、第一の実施例の保険情報出力サーバの動作を説明するフローチャートである。
【００５０】
本実施例の保険情報出力サーバ２００は、情報端末３００から給付金算出の要求を受けると（ステップＳ９０１）、画面データ生成部２７１により利用者情報の入力画面データを生成し、情報端末３００に送信する（ステップＳ９０２）。続いて入力受付部２７２は、情報端末３００に表示された入力画面において、個人識別情報の入力を受け付けたか否かを判断する（ステップＳ９０３）。
【００５１】
本実施例では、ステップＳ９０３において、個人識別情報の入力を受け付けた場合、保険情報出力サーバ２００は、利用者が保険情報と個人識別情報と対応付けられた診療情報とを連携させることを希望したものと判断し、ステップＳ９０４へ進む。ステップＳ９０３において個人識別情報の入力を受け付けない場合、保険情報出力サーバ２００は処理を終了する。
【００５２】
ステップＳ９０３において個人識別情報の入力を受け付けると、入力受付部２７２は入力画面における利用者情報の入力が完了したか否かを判断する（ステップＳ９０４）。ステップＳ９０４において入力が完了しない場合、入力受付部２７２は入力が完了するまで待機する。
【００５３】
ステップＳ９０４において入力が完了すると、診療情報取得部２７３は、診療情報データベース２３０から入力された個人識別情報と対応付けられた診療情報を取得する（ステップＳ９０５）。
【００５４】
続いてデータベース更新部２７４は、取得した診療情報を診療別ランクデータベース２４０に格納する（ステップＳ９０６）。続いてポイント付与部２７５は、ポイントデータベース２５０を参照し、診療情報に含まれる診療ＩＤ毎にポイントを付与する（ステップＳ９０７）。続いてランク付け部２７６は、診療ＩＤ毎に付与されたポイントを参照し、ポイントの値が最も大きい診療ＩＤから順に、診療ＩＤのランク付けを行う（ステップＳ９０８）。
【００５５】
続いて給付金算出部２７７は、診療別ランクデータベース２４０を参照し、最もランクが高い診療ＩＤと対応した診療情報を抽出する。また本実施例の給付金算出部２７７は、計算式データベース２６０を参照し、入力された利用者情報に含まれる保険種別と対応する保険給付金計算式を取得し、給付金を算出する（ステップＳ９０９）。
【００５６】
続いて画面データ生成部２７１は、ステップＳ９０９で抽出された診療情報と、算出された給付金とを含む支払い事例を示す画面データを生成する（ステップＳ９１０）。続いて画面データ送信部２７８は、ステップＳ９１０で生成した画面データを情報端末３００に送信する（ステップＳ９１１）。
【００５７】
以下に図９で説明した処理を具体的に説明する。
【００５８】
図１０は、第一の実施例の利用者情報の入力画面の一例を示す図である。
【００５９】
本実施例の入力画面１０１には、個人識別情報の入力欄１０２と、利用者情報に含まれる項目のそれぞれに対応した入力欄１０３と、入力画面から支払い事例を表示させる画面へ表示を遷移させるボタン１０４とが表示される。
【００６０】
尚入力欄１０３には、利用者情報に含まれる利用者ＩＤ、契約者名、住所の項目が含まれていないが、こられの項目は入力欄１０３に含まれても良い。またこれらの項目は、別の入力画面において入力されても良い。
【００６１】
入力画面１０１では、入力された個人識別情報と利用者情報は、利用者データベース２２０に格納される。
【００６２】
利用者情報が格納されると、診療情報取得部２７３は、入力された個人識別情報で診療情報データベース２３０を検索し、個人識別情報ＡＢ０２００７と対応付けられた診療情報を取得する。取得された診療情報は、データベース更新部２７４により、診療別ランクデータベース２４０へ格納される。
【００６３】
図５に示す診療別ランクデータベース２４０は、個人識別情報ＡＢ０２００７と対応付けられた診療情報が格納された例を示している。
【００６４】
本実施例のデータベース更新部２７４は、個人識別情報ＡＢ０２００７と対応付けられた診療情報における通院日数及び入院日数を取得し、両者の合計日数を診療別ランクデータベース２４０の日数の項目に格納する。
【００６５】
図５の例では、診療ＩＤ００１の場合、診療の種別は通院のみであり、通院日数が５であるから、日数は５となる。また診療ＩＤ００２の場合は、診療の種別は通院、入院、手術であり、通院日数が２日、入院日数が７日であるから、日数は合計の９となる。
【００６６】
診療情報を格納すると、次にポイント付与部２７５が診療ＩＤ毎にポイントを付与する。本実施例のポイント付与部２７５は、診療情報に含まれる診療の種別と、ポイントデータベース２５０とを参照してポイントを付与する。
【００６７】
図５において、診療ＩＤ００１の診療の種別は、通院である。よってポイント付与部２７５は、ポイントデータベース２５０を参照し、通院と対応するポイント１を診療ＩＤ００１のポイントとして付与する。また診療ＩＤ００２の診療の種別は、通院、入院、手術である。よってポイント付与部２７５は、ポイントデータベース２５０の通院、入院、手術のそれぞれと対応するポイントを取得し、その合算値を診療ＩＤ００２のポイントとして付与する。本実施例では、手術のポイントが１０、入院のポイントが５であるから、診療ＩＤ００２のポイントは１６となる。同様に、診療ＩＤ００３のポイントは６である。
【００６８】
ポイントが付与されると、本実施例のランク付け部２７６は、ポイントの数が最も大きい診療ＩＤの診療情報から順に、ランク付けを行う。図５においてポイントの数が最も大きい診療ＩＤは、診療ＩＤ００２である。よってランク付け部２７６は、診療ＩＤ００２の診療情報を最もランクの高いランク１とする。
【００６９】
本実施例の保険情報出力サーバ２００は、ランク付けを行った後に、給付金算出部２７７により、最もランクの高い診療情報を用いて保険の給付金の算出を行う。
【００７０】
尚本実施例では、診療ＩＤ毎に付与されたポイントの数が大きい順にランク付けを行い、保険の給付金の算出を行うものとしたが、これに限定されない。本実施例では、例えばランク付けを行わず、最もポイントが高い診療情報を用いて給付金の算出を行っても良い。また本実施例のランク付け部２７６は、ポイントの数が大きい順にランク付けを行うものとしたが、これに限定されない。ランク付け部２７６は、例えばポイントの数が小さい順にランク付けを行っても良い。本実施例では、どのようにランク付けを行うか否かが保険情報出力サーバ２００に設定されていても良い。
【００７１】
図１１は、第一の実施例の診療情報を用いた支払い事例を含む保険情報画面の一例を示す図である。
【００７２】
本実施例の保険情報画面１１１は、図５の診療ＩＤ００２の診療情報を用いた支払いの事例を示している。本実施例の保険情報画面１１１は、利用者の診療情報を用いているため、利用者が過去に罹患した疾病に基づく支払い事例を示すことができる。
【００７３】
図１２は、一般的な支払い事例を含む保険情報画面の一例を示す図である。図１２に示す保険出力画面１２１に示される支払い事例は、利用者と年齢や疾病が一致していない。
【００７４】
これに対して本実施例では、利用者に対し、利用者が過去に罹患した疾病により受け取れた給付金の金額を提示することができる。このように本実施例では、利用者に保険契約におけるメリットを実感させることで、保険の契約を検討している利用者の検討作業を支援することができる。
【００７５】
（第二の実施例）
以下に図面を参照して第二の実施例について説明する。第二の実施例では、利用者情報に利用者の属性を示す項目を追加し、利用者の属性に応じてランク付けを行う点が第一の実施例と相違する。よって以下の説明では、第一の実施例と同様の機能を有するものには第一の実施例の説明で用いた符号と同様の符号を付与し、その説明を省略する。
【００７６】
図１３は、第二の実施例の保険情報出力サーバの機能を説明する図である。本実施例の保険情報出力サーバ２００Ａは、画面データ生成部２７１Ａ、ランク付け部２７６Ａと、属性判断部２７９を有する。
【００７７】
本実施例の画面データ生成部２７１Ａは、利用者の属性である利用者の職業と利用者の年収の項目と対応する入力欄を含む入力画面データを生成する。
【００７８】
本実施例のランク付け部２７６Ａは、利用者情報に含まれる利用者の属性に基づくランク付けを行う。本実施例の属性判断部２７９は、利用者情報の属性に基づき利用者の属性を判断する。
【００７９】
図１４は、第二の実施例の利用者情報の入力画面の一例を示す図である。
【００８０】
図１４に示す入力画面１０１Ａには、利用者の属性を含む利用者情報に含まれる項目のそれぞれに対応した入力欄１０３Ａが表示される。本実施例の入力欄１０３Ａには、利用者の属性を示す情報である利用者の年収と職業の入力欄が含まれる。
【００８１】
図１５は、第二の実施例の利用者データベースの一例を示す図である。
【００８２】
本実施例の利用者データベース２２０Ａは、入力画面１０１Ａで入力された利用者情報が格納される。すなわち本実施例の利用者情報は、利用者の属性を示す年収と職業の項目を含む。
【００８３】
図１６は、第二の実施例の診療別ランクデータベースの一例を示す図である。
【００８４】
本実施例の診療別ランクデータベース２４０Ａでは、ポイントに基づくランクの他に、医療費に基づくランクの項目が追加される。
【００８５】
図１７は、第二の実施例の保険情報出力サーバの動作を説明する第一のフローチャートである。
【００８６】
本実施例の保険情報出力サーバ２００Ａは、情報端末３００から給付金算出の要求を受けると（ステップＳ１７０１）、画面データ生成部２７１Ａにより利用者情報の入力画面データを生成し、情報端末３００に送信する（ステップＳ１７０２）。本実施例では、入力画面１０１Ａを情報端末３００に表示させる入力画面データが生成される。
【００８７】
図１７のステップＳ１７０３からステップＳ１７０７までの処理は、図９のステップＳ９０３からステップＳ９０７までの処理と同様であるから、説明を省略する。
【００８８】
ステップＳ１７０７において診療ＩＤ毎にポイントが付与されると、保険情報出力サーバ２００Ａは、属性判断部２７９による属性の判断と、ランク付け部２７６Ａによる属性に基づく診療ＩＤのランク付けを行う（ステップＳ１７０８）。ステップＳ１７０８の処理の詳細は後述する。
【００８９】
ステップＳ１７０９からステップＳ１７１１までの処理は、図９のステップＳ９０９からステップＳ９１１までの処理と同様であるから、説明を省略する。
【００９０】
図１８は、第二の実施例の保険情報出力サーバの動作を説明する第二のフローチャートである。図１８に示す処理は、図１７のステップＳ１７０８で実行されるランク付けの処理である。
【００９１】
本実施例の保険情報出力サーバ２００Ａにおいて、属性判断部２７９は、利用者データベース２２０Ａに格納された、入力画面１０１Ａにおいて入力された利用者情報を参照する（ステップＳ１８０１）。続いて属性判断部２７９は、利用者情報の年収の情報を取得する（ステップＳ１８０２）。続いて属性判断部２７９は、年収が３００万円以下であるか否かを判断する（ステップＳ１８０３）。尚本実施例では、判断の閾値を３００万円としたが、これに限定されない。ステップＳ１８０３における判断の閾値は、任意に設定されて良い。
【００９２】
ステップＳ１８０３において年収が３００万円以下の場合、ランク付け部２７６Ａは、診療ＩＤ毎の医療費が高い順に、診療ＩＤのランク付けを行う（ステップＳ１８０４）。具体的にはランク付け部２７６Ａは、医療費が最も高い診療ＩＤが最もランクが高くなるように、ランク付けを行う。
【００９３】
ステップＳ１８０３において年収が３００万円以下でない場合、属性判断部２７９は、利用者情報から利用者の職業の情報を取得する（ステップＳ１８０５）。続いて属性判断部２７９は、利用者の職業が自営業か否かを判断する（ステップＳ１８０６）。ステップＳ１８０６において職業が自営業の場合、ランク付け部２７６Ａは、診療ＩＤ毎のポイントが高い順に、診療ＩＤのランク付けを行う（ステップＳ１８０７）。
【００９４】
ステップＳ１８０６において利用者の職業が自営業でない場合、ランク付け部２７６Ａは、例えば医療費又はポイントのうち、何れか予め設定されている方に基づく診療ＩＤ毎のランク付けを行う（ステップＳ１８０８）。例えば本実施例では、医療費とポイントとに優先順位を設定しておき、ステップＳ１８０８において優先順位の高い値に基づくランク付けを行っても良い。
【００９５】
例えば年収が比較的低い人は、経済的な問題を気にかける傾向があることが推測される。よって本実施例では年収が比較的低い人に対しては、医療費が最も高かった診療ＩＤと対応した診療情報を用いた支払い事例を提示する。また例えば職業が自営業の人は、拘束時間がどの程度になるかを気にかける傾向があることが推測される。よって本実施例では、職業が自営業の人に対しては、通院及び入院日数と対応するポイントが最も高かった診療ＩＤと対応した診療情報を用いた支払い事例を提示する。
【００９６】
以上のように本実施例では、利用者の属性に基づく診療ＩＤ毎のランク付けを行うため、利用者に保険加入のメリットをより強く実感させることができ、保険の契約を検討しているユーザの検討作業を支援する。
【００９７】
開示の技術では、以下に記載する付記のような構成が考えられる。
（付記１）
コンピュータに、
記憶部を参照し、個人を特定する特定情報に基づき前記特定情報と対応付けられた前記個人の過去の病歴を示す診療情報と、前記個人に指定された保険商品の給付金に係る情報を含む保険情報とを取得する処理と、
前記診療情報に含まれる疾病又は怪我に対する前記保険商品の給付金を算出し、出力する処理と、
を実行させる保険情報出力プログラム。
（付記２）
前記診療情報は、
前記疾病又は怪我の通院日数、入院日数及び手術の有無を示す項目を含み、
前記出力する処理は、前記通院日数、入力日数及び手術の有無を示す項目の情報に基づき、前記給付金を算出する疾病又は怪我を選択する付記１記載の保険情報出力プログラム。
（付記３）
前記通院日数、入力日数及び手術の有無を示す項目の情報に基づき、前記疾病又は怪我と対応する診療情報毎にポイントを付与する処理と、
前記ポイントに基づき前記疾病又は怪我と対応する診療情報毎にランク付けを行う処理と、を実行させ、
前記出力する処理は、
ランクが最も高い診療情報に含まれる前記疾病又は怪我の前記給付金を算出する付記２記載の保険情報出力プログラム。
（付記４）
前記診療情報は、
前記疾病又は怪我の治療にかかった医療費の項目を含み、
前記出力する処理は、前記医療費に基づき前記疾病又は怪我の前記給付金を算出する付記１記載の保険情報出力プログラム。
（付記５）
前記出力する処理は、
前記個人の属性を示す属性情報を参照し、
前記疾病又は怪我の治療にかかった医療費又は前記疾病又は怪我の通院日数、入力日数及び手術の有無を示す項目の情報の何れか一方を選択し、
選択した方の項目の情報に基づき前記給付金を算出する疾病又は怪我を選択する付記１乃至４の何れか一項に記載の保険情報出力プログラム。
（付記６）
記憶部を参照し、個人を特定する特定情報に基づき前記特定情報と対応付けられた前記個人の過去の病歴を示す診療情報と、前記個人に指定された保険商品の給付金に係る情報を含む保険情報とを取得する取得処理部と、
前記診療情報に含まれる疾病又は怪我に対する前記保険商品の給付金を算出し、出力する出力処理部と、を有する保険情報出力装置。
（付記７）
コンピュータによる保険情報出力方法であって、該コンピュータが、
記憶部を参照し、個人を特定する特定情報に基づき前記特定情報と対応付けられた前記個人の過去の病歴を示す診療情報と、前記個人に指定された保険商品の給付金に係る情報を含む保険情報とを取得し、
前記診療情報に含まれる疾病又は怪我に対する前記保険商品の給付金を算出し、出力する保険情報出力方法。
【００９８】
本発明は、具体的に開示された実施例に限定されるものではなく、特許請求の範囲から
逸脱することなく、種々の変形や変更が可能である。
【符号の説明】
【００９９】
１００  保険情報出力システム
２００  保険情報出力サーバ
２１０  保険情報出力プログラム
２２０  利用者データベース
２３０  診療情報データベース
２４０  診療別ランクデータベース
２５０  ポイントデータベース
２６０  計算式データベース
３００  情報端末
【図１】
2015026193.tif 000003
【図２】
2015026193.tif 000004
【図３】
2015026193.tif 000005
【図４】
2015026193.tif 000006
【図５】
2015026193.tif 000007
【図６】
2015026193.tif 000008
【図７】
2015026193.tif 000009
【図８】
2015026193.tif 000010
【図９】
2015026193.tif 000011
【図１０】
2015026193.tif 000012
【図１１】
2015026193.tif 000013
【図１２】
2015026193.tif 000014
【図１３】
2015026193.tif 000015
【図１４】
2015026193.tif 000016
【図１５】
2015026193.tif 000017
【図１６】
2015026193.tif 000018
【図１７】
2015026193.tif 000019
【図１８】
2015026193.tif 000020